(57)【要約】【課題】複数個を積み重ねた状態で持ち運び、また保管し、搬送することができる長尺管案内支持装置を提供する。【解決手段】平行に配設された２つの平行部４と、２つの平行部の長手方向の中間部に架け渡された支持部５とを有する枠体２を備え、枠体の支持部に、２つの平行部の長手方向に沿ってＶ字形に配設された２つのローラ３の下方の軸部９ａが固定され、２つの平行部はローラの径より大きい間隔で配設されている。２つの平行部の両端部の内側に固定され、２つの平行部の中間部に向かって斜めに立ち上がる２つの縦枠６を有し、２つの縦枠に２つのローラの上方の軸部９ｂが固定されている。２つの縦枠は２つの平行部より下方に延伸し、２つの縦枠の下端に２つの平行部と直交する方向にベース７が取り付けられている。【選択図】図１
0003208039.tif 000002
【実用新案登録請求の範囲】
【請求項１】
平行に配設された２つの平行部と、前記２つの平行部の長手方向の中間部に架け渡された支持部とを有する枠体を備え、
前記枠体の前記支持部に、前記２つの平行部の長手方向に沿ってＶ字形に配設された２つのローラの下方の軸部が固定され、
前記２つの平行部は前記ローラの径より大きい間隔で配設されていることを特徴とする長尺管案内支持装置。
【請求項２】
前記２つの平行部の両端部の内側に固定され、前記２つの平行部の中間部に向かって斜めに立ち上がる２つの縦枠を有し、前記２つの縦枠に前記２つのローラの上方の軸部が固定されていることを特徴とする請求項１に記載の長尺管案内支持装置。
【請求項３】
前記２つの縦枠は前記２つの平行部より下方に延伸し、前記２つの縦枠の下端に前記２つの平行部と直交する方向にベースが取り付けられていることを特徴とする請求項２に記載の長尺管案内支持装置。
【請求項４】
前記２つの縦枠の下端に前記２つの平行部と平行に延伸する把持部を有することを特徴とする請求項２に記載の長尺管案内支持装置。
【請求項５】
前記２つの平行部の両端部の下面に前記前記２つの平行部と直交する方向にベースが取り付けられていることを特徴とする請求項１に記載の長尺管案内支持装置。
【考案の詳細な説明】
【技術分野】
【０００１】
本考案は把巻（たばまき）管から引き出される樹脂管等の長尺管を案内し支持する長尺管案内支持装置であって、複数積み重ねた状態にすることができる長尺管案内支持装置に関する。
【背景技術】
【０００２】
工事現場における配管作業では、把巻きされた樹脂管等を繰出装置により繰り出して所要場所に配設されるが、繰出装置からの長尺管の引き出し方向に沿ってローラからなる案内支持装置が適宜間隔で配設され、繰出し装置から繰り出された長尺管を載せて地面に接触しないようにしている。
【０００３】
従来の長尺管やケーブルの案内支持装置として、特許文献１には、ベースに２つのローラをＶ字形に交差させて片持ちに支持して、２つのローラの上に大小様々なワイヤケーブルを載せて搬送案内できるようにしたものが記載されている。
【０００４】
特許文献２には、ローラの両端が三角形のプレートで支持された３つのケーブルコロのプレートに連結用孔部を形成して、各プレートの連結用穴部を整合してボルトで回動自在に連結した３連ケーブルコロが記載されている。
【０００５】
特許文献３には、縦ローラを有する第１ベースの上方に、横ローラを有する第２ベースを緩衝材を介して鉛直方向に摺動可能に配設したものが記載されている。
【０００６】
特許文献４には、前ローラと後ローラをＸ字形に交差させてコ字形の内枠部に回転自在に支持し、内枠部に支持外枠部を折りたたみ可能に枢着したケーブル案内支持具が記載されている。
【０００７】
しかし、いずれの長尺管案内支持装置も形状が複雑で、積み重ねができないため、配管経路に沿って１個ずつ持ち運ぶ必要があり、煩雑であった。また、保管や輸送時にも広大なスペースが必要であった。
【先行技術文献】
【特許文献】
【０００８】
【特許文献１】実開昭６３−１４８６７８号公報
【特許文献２】特開平７−１３１９１２号公報
【特許文献３】特開２００２−４０３８５２号公報
【特許文献４】実開平３−１２７４１８号公報
【考案の概要】
【考案が解決しようとする課題】
【０００９】
本考案は、斯かる従来の問題点に鑑みてなされたもので、複数個を積み重ねた状態で持ち運び、また保管し、搬送することができる長尺管案内支持装置を提供することを課題とする。
【課題を解決するための手段】
【００１０】
前記課題を解決するための手段として、本考案は、
平行に配設された２つの平行部と、前記２つの平行部の長手方向の中間部に架け渡された支持部とを有する枠体を備え、
前記枠体の前記支持部に、前記２つの平行部の長手方向に沿ってＶ字形に配設された２つのローラの下方の軸部が固定され、
前記２つの平行部は前記ローラの径より大きい間隔で配設されていることを特徴とする長尺管案内支持装置である。
【００１１】
本考案の長尺管案内支持装置の上に同じもう１つの長尺管案内支持装置を載せるよう降ろしてゆくと、下段の長尺管案内支持装置のローラが上段の２つの平行部の間を通り抜け、上段の長尺管案内支持装置のローラが下段の長尺管案内支持装置のローラに接触し、積み重ねられる。同様に３つ、あるいはそれ以上の長尺管案内支持装置を積み重ねることができる。
【００１２】
第１の態様では、前記２つの平行部の両端部の内側に固定され、前記２つの平行部の中間部に向かって斜めに立ち上がる２つの縦枠を有し、前記２つの縦枠に前記２つのローラの上方の軸部が固定されている。
【００１３】
この場合、前記２つの縦枠は前記２つの平行部より下方に延伸し、前記２つの縦枠の下端に前記２つの平行部と直交する方向にベースが取り付けられていることが好ましい。
【００１４】
あるいは、前記２つの縦枠の下端に前記２つの平行部と平行に延伸する把持部を有することが好ましい。
【００１５】
第２の態様では、前記２つの平行部の両端部の下面に前記前記２つの平行部と直交する方向にベースが取り付けられている。
【考案の効果】
【００１６】
本考案によれば、複数個の長尺管案内支持装置を積み重ねることができるので、積み重ねた状態で持ち運び、また保管し、搬送することができるという効果を有している。
【図面の簡単な説明】
【００１７】
【図１】本考案の第１実施形態による長尺管案内支持装置の斜視図。
【図２】図１の長尺管案内支持装置の正面図。
【図３】図１の長尺管案内支持装置の平面図。
【図４】図１の長尺管案内支持装置の側面図。
【図５】図１の長尺管案内支持装置を複数積み重ねた状態を示す正面図。
【図６】本考案の第２実施形態による長尺管案内支持装置の斜視図。
【図７】本考案の第３実施形態による長尺管案内支持装置の斜視図。
【考案を実施するための形態】
【００１８】
以下、本考案の実施形態を添付図面に従って説明する。
【００１９】
図１は、本考案の第１実施形態による長尺管案内支持装置１を示す。長尺管案内支持装置１は、枠体２と、２つのローラ３とからなっている。  
【００２０】
枠体２は、２つの平行部４と、支持部５と、２つの縦枠６と、２つのベース７とから構成されている。
【００２１】
２つの平行部４は、それぞれ角型鋼管からなり、互いに平行に配設されている。２つの平行部４は、図３，４に示すように、ローラ３の径より大きい間隔Ｗで配設されている。例えばローラ３の径が３８ｍｍの場合、２つの平行部４の間隔は４１ｍｍが好ましい。支持部５は、矩形の鋼板からなり、２つの平行部４の中間部に架け渡されて、２つの平行部４の下面に溶接されている。縦枠６は、軽溝形鋼からなり、２つの平行部４の両端部の対向する内面に溶接され、２つの平行部４の中間部に向かって傾斜している。縦枠６の上端は、フランジ６ａが図２のＡ部拡大図に示すように切り欠かれて、ウェブ６ｂが内側に曲げられることで、突出部８が形成されている。縦枠６の下端は、２つの平行部４よりも下方に延伸している。ベース７は、角型鋼管からなり、２つの平行部４の長手方向に直交する方向に配設されて、縦枠６の下端に溶接されている。
【００２２】
２つのローラ３は、両端に鋼管からなる軸部９ａ、９ｂを有し、２つの平行部４の長手方向に沿ってＶ字形に配設されている。２つのローラ４はそれぞれ、下方の軸部９ａが支持部５に溶接され、上方の軸部９ｂが縦枠６の突出部８に溶接されて、軸部９ａ、９ｂの回りに回転自在になっている。下方の軸部９ａは、支持部５への溶接を容易にするために、上方の軸部９ｂより長く形成されていることが好ましい。
【００２３】
実施例では、２つのローラ３は、それぞれ３８ｍｍの径、１００ｍｍの長さを有する。２つのローラ３間の角度αは、８０°に設定されている。これにより、２つのローラ３の間に６２ｍｍから１８６ｍｍの外径の長尺管Ｐを支持できるようになっている。縦枠６の傾斜角βは７０°であり、内側に傾斜している。
【００２４】
２つの平行部４の両端は、縦枠６より外方に突出して、上に同じ形の長尺物案内装置１を積み重ねたときに上段の長尺物案内支持装置１のベース７が載置される載置部１０が形成されている。２つの平行部４の長さＬは、２つのベース７の内側面間寸法Ｄより長い。また、２つの平行部４の上面と縦枠６の背面との交差位置Ｓは、平面視で、ベース７の内側面と同じか、内方にあることが好ましい。ベース７から２つの平行部４まで高さＨは、１段目の長尺物案内支持装置１の載置部１０に２段目の長尺物案内装置１のベース７が載置されたときに、２段目のローラ３が１段目のローラ３に接触しないように設定することが好ましい。
【００２５】
以上の構成からなる長尺管案内支持装置１は、配管場所に沿って複数個、所定間隔で配設される。図示しない繰出装置により把巻管から引き出される長尺管Ｐは、複数の長尺管案内支持装置１のそれぞれの２つのローラ３の間に支持され、２つのローラ３上を順次移動して、所要場所に案内される。
【００２６】
長尺管案内支持装置１は、配管作業前後の使用しないときには、図５に示すように、複数個積み重ねておくことができる。すなわち、長尺管案内支持装置１の上に同じもう１つの長尺管案内支持装置１を載せるよう降ろしてゆくと、下段の長尺管案内支持装置１のローラ３と縦枠６が上段の２つの平行部４の間を通り抜け、上段の長尺管案内支持装置１のベース７が下段の長尺管案内支持装置１の２つの平行部４の載置部１０に載置され、積み重ねられる。同様に３つ、あるいはそれ以上の長尺管案内支持装置１を積み重ねることができる。
【００２７】
このため、複数個の長尺管案内支持装置１を積み重ねた状態で持ち運び、また保管し、搬送することができる。
【００２８】
次に、本考案の他の実施形態を説明するが、基本的な形態は第１実施形態の長尺管案内支持装置１と同様であるので、詳細な説明は省略する。
【００２９】
図６は、本考案の第２実施形態による長尺管案内支持装置１ａを示す。この長尺管案内支持装置１ａでは、２つの平行部４は山形鋼で形成され、地面に設置されるベースを兼用している。支持部５は逆Ｖ字形に曲げられ、２つの平行部４の長手方向の中間部に架け渡され、屈曲した頂部が２つの平行部４の上端より上方に位置するように溶接されている。縦枠６は平板で形成され、その下端は２つの平行部４の両端のフランジ４ａに溶接されている。把持板１１は、２つの平行部４より高い位置に設けられている。また、各縦枠６の下端には、平板からなる把持板１１が外方に延伸している。把持板１１には、杭を打ち込むための杭孔１２が形成されている。Ｖ字形に配設されたローラ３の下方の軸部９ａは支持部５の斜面に溶接され、上方の軸部９ｂは縦枠６の上端に溶接されている。
【００３０】
第２実施形態の長尺管案内支持装置１ａも、第１実施形態の長尺管案内支持装置１と同様に、積み重ねることができる。すなわち、長尺管案内支持装置１ａの上に同じもう１つの長尺管案内支持装置１ａを載せるよう降ろしてゆくと、下段の長尺管案内支持装置１ａのローラ３と縦枠６が上段の２つの平行部４の間を通り抜け、上段の長尺管案内支持装置１ａの縦枠６の下端が下段の長尺管案内支持装置１ａの縦枠６の外側の斜面に当接して載置され、積み重ねられる。
【００３１】
図７は、本考案の第３実施形態による長尺管案内支持装置１ｂを示す。この長尺管案内支持装置１ｂでは、２つの平行部４は円形鋼管からなり、逆Ｖ字形に曲げられ、２つの平行部４の長手方向の中間部に架け渡され、屈曲した頂部が２つの平行部４の上端より上方に位置するように溶接されている。ベース７は、２つの平行部４と同じ大きさの円形鋼管からなり、２つの平行部４の長手方向と直角な方向に配設され、２つの平行部４の両端部の下に溶接されている。Ｖ字形に配設されたローラ３は、下方の軸部９ａのみが支持部５の斜面に溶接され、片持ち支持されている。
【００３２】
第３実施形態の長尺管案内支持装置１ｂも、第１実施形態の長尺管案内支持装置１と同様に、積み重ねることができる。すなわち、長尺管案内支持装置１ｂの上に同じもう１つの長尺管案内支持装置１ｂを載せるよう降ろしてゆくと、下段の長尺管案内支持装置１ｂのローラ３と縦枠６が上段の２つの平行部４の間を通り抜け、上段の長尺管案内支持装置１ｂのベース７が下段の長尺管案内支持装置１ｂの２つの平行部４の両端部に当接して載置され、積み重ねられる。ローラ３が長い場合は、上段の長尺管案内支持装置１ｂを傾けた状態で、下段の一方のローラ３を２つの平行部４に通してから、他方のローラ３を２つの平行部４に通すようにすればよい。
【００３３】
本考案は、以上の実施形態に限らず、実用新案登録請求の範囲に記載した考案の範囲内で種々変更することができる。例えば、各部材の鋼材は任意の形状のものを採用することができる。
【符号の説明】
【００３４】
１…長尺管案内支持装置
２…枠体
３…ローラ
４…平行部
５…支持部
６…縦枠
７…ベース
８…突部
９ａ…軸部
９ｂ…軸部
１０…載置部
１１…把持板
１２…杭孔
【図１】
0003208039.tif 000003
【図２】
0003208039.tif 000004
【図３】
0003208039.tif 000005
【図４】
0003208039.tif 000006
【図５】
0003208039.tif 000007
【図６】
0003208039.tif 000008
【図７】
0003208039.tif 000009